【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
モータ駆動により正逆転する第１の軸と、該第１の軸から動力を得て正逆転する第２の軸と、第１の軸から第２の軸へ動力伝達を行う動力伝達手段と、を備えた記録装置の動力伝達装置において、
前記動力伝達手段は、第１の軸上に配置された伝達ギアおよび該伝達ギアに接続された遊星ギアを有し、前記第１の軸の一方向回転時のみ前記第２の軸への動力伝達を行う遊星歯車機構と、前記第２の軸上に配置され、前記遊星ギアに接離される第２の軸駆動ギアとからなり、
前記第２の軸駆動ギアと遊星ギアとの接続状態で動作可能になり、該接続状態を維持させるロック手段と、モータ駆動により前記ロック手段を操作し、前記第２の軸駆動ギアと遊星ギアとの接続状態の維持を解除する操作手段と、前記ロック手段を手動操作し、前記第２の軸駆動ギアと前記遊星ギアとの接続状態の維持を強制的に解除する第２の操作手段と、を備えていることを特徴とする記録装置の動力伝達装置。
【請求項２】
請求項１において、遊星歯車機構は、第１の軸に回動可能に支持され、遊星ギアを取付けた遊星レバーを有すると共に、ロック手段は前記遊星レバーを固定することを特徴とする記録装置の動力伝達装置。
【請求項３】
請求項１において、第２の軸上には、回動可能に支持され、自由端に係止部を有するストッパを配置すると共に、遊星歯車機構は第１の軸に回動可能に支持され、遊星ギアを取付けた遊星レバーを有し、該遊星レバーには前記ストッパの係止部が係止する係合部が設けられており、操作手段は前記ストッパを回動させ、該ストッパの係止部と遊星レバーの係合部との係止および係止解除を行うストッパ操作レバーを有することを特徴とする記録装置の動力伝達装置。
【請求項４】
請求項３において、ストッパ操作レバーは、第２の軸上に回動可能に支持されていることを特徴とする記録装置の動力伝達装置。
【請求項５】
請求項２から４のいずれか１項において、操作手段は、ストッパ操作レバーに設けられたカムフォロアと、該カムフォロアが当接するカムを有するカム体と、該カム体を作動する駆動手段とからなることを特徴とする記録装置の動力伝達装置。
【請求項６】
モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、
前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、
前記給紙ローラ軸上に配置され、前記遊星ギアが接離される給紙ローラ軸駆動ギアと、
前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、
前記給紙ローラ軸上に回動可能に支持され、前記ストッパの係止部と前記遊星レバーの係合部との係止および係止解除を行うストッパ操作レバーを有する操作手段とを備え、
前記ストッパの係止部と前記遊星レバーの係合部は、前記給紙ローラ軸駆動ギアと前記遊星ギアとの接続状態が維持されているときのみ係止可能になることを特徴とする給紙装置。
【請求項７】
モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、
前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、
前記給紙ローラ軸上に配置され、前記遊星ギアが接離される給紙ローラ軸駆動ギアと、
前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、
前記給紙ローラ軸上に回動可能に支持され、前記ストッパの係止部と前記遊星レバーの係合部との係止および係止解除を行うストッパ操作レバーを有する操作手段とを備え、
前記遊星レバーは、前記搬送ローラ軸に回動可能に支持されされていることを特徴とする給紙装置。
【請求項８】
モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、
前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、
前記給紙ローラ軸上に配置され、前記遊星ギアが接離される給紙ローラ軸駆動ギアと、
前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、
前記給紙ローラ軸上に回動可能に支持され、前記ストッパの係止部と前記遊星レバーの係合部との係止および係止解除を行うストッパ操作レバーを有する操作手段とを備え、
前記操作手段は、ストッパ操作レバーに設けられたカムフォロアと、該カムフォロアが当接する環状の溝カムを有するホイールと、を備え、
前記ホイールは、前記給紙ローラに共動させる部材が配置されたレリース軸上に配置され、該レリース軸の所定角度の回転により前記ストッパ操作レバーを回動させることを特徴とする給紙装置。
【請求項９】
モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、
前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、
前記給紙ローラ軸上に配置され、前記遊星ギアが接離される給紙ローラ軸駆動ギアと、
前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、
前記給紙ローラ軸上に回動可能に支持され、前記ストッパの係止部と前記遊星レバーの係合部との係止および係止解除を行うストッパ操作レバーを有する操作手段とを備え、
手動操作により前記ストッパの係止部と前記遊星レバーの係合部との係止を強制的に係止解除する第２の操作手段を備えていることを特徴とする給紙装置。
【請求項１０】
請求項９において、第２の操作手段は、カバー部材の開動作により前記係止解除が行われることを特徴とする給紙装置。
【請求項１１】
請求項９または１０において、ストッパとストッパ操作レバーとの間を連結するスプリングを設け、該スプリングの張力により互いに突き当て状態で一体化すると共に、前記ストッパの係止部と遊星レバーの係合部との係止状態から係止解除する方向へ前記スプリングの張力に抗して前記ストッパが回動可能に設けられており、第２の操作手段にはストッパを前記方向に操作するスライダが備えられていることを特徴とする給紙装置。
【請求項１２】
請求項１１において、第２の操作手段がストッパの係止部と遊星レバーの係合部との係止を強制的に係止解除した後に、その解除前の状態に戻してから搬送ローラ軸を正転させた時に、遊星レバーの回動およびスプリングの張力によるストッパの回動により前記ストッパの係止部と遊星レバーの係合部との係止を行わせることを特徴とする給紙装置。
【請求項１３】
請求項６から１２のいずれか１項の給紙装置を備えていることを特徴とする記録装置。
【手続補正２】
【補正対象書類名】明細書
【補正対象項目名】０００５
【補正方法】変更
【補正の内容】
【０００５】
【課題を解決するための手段】
請求項１に記載の発明は、モータ駆動により正逆転する第１の軸と、該第１の軸から動力を得て正逆転する第２の軸と、第１の軸から第２の軸へ動力伝達を行う動力伝達手段と、を備えた記録装置の動力伝達装置において、前記動力伝達手段は、第１の軸上に配置された伝達ギアおよび該伝達ギアに接続された遊星ギアを有し、前記第１の軸の一方向回転時のみ前記第２の軸への動力伝達を行う遊星歯車機構と、前記第２の軸上に配置され、前記遊星ギアに接離される第２の軸駆動ギアとからなり、前記第２の軸駆動ギアと遊星ギアとの接続状態で動作可能になり、該接続状態を維持させるロック手段と、モータ駆動により前記ロック手段を操作し、前記第２の軸駆動ギアと遊星ギアとの接続状態の維持を解除する操作手段と、前記ロック手段を手動操作し、前記第２の軸駆動ギアと前記遊星ギアとの接続状態の維持を強制的に解除する第２の操作手段と、を備えていることを特徴とする。  
請求項１に記載の発明によると、ロック手段により第２の軸駆動ギアと遊星ギアとの接続状態が維持されていないときは、第１の軸の一方向回転により遊星ギアが第２の軸駆動ギアに接続され、第１の軸の回転が第２の軸に伝達される。また第２の軸駆動ギアと遊星ギアが接続されているとき、ロック手段を動作させると該接続状態が維持される。このとき、第１の軸の双方向回転（正転または逆転）が第２の軸に伝達されるようになる。このように遊星歯車機構にロック手段を組み合わせることにより、第１の軸から第２の軸へ動力を伝達したり、伝達しないよう構成することができると共に、第２の軸駆動系のギア部品を少なくし、装置の小型化が図れる。  
また、請求項１に記載の発明によると、保守点検等のサービスを行う際に、第１の軸と第２の軸が遊星機構によって連結されている場合は、第２の軸をフリーにして行う作業ができない。第２の操作手段を備えることで、第１の操作手段に関係なく、手動により第２の軸駆動ギアと遊星ギアとの接続状態の維持を強制的に解除することができる。すなわち、どのような状況下においても第１の操作手段か第２の操作手段のいずれかによって第２の軸をフリーにすることができるので、上記サービスがし易くなる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項６に記載の発明は、モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、前記給紙ローラ軸上に配置され、前記遊星ギアが接離される給紙ローラ軸駆動ギアと、前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、前記給紙ローラ軸上に回動可能に支持され、前記ストッパの係止部と前記遊星レバーの係合部との係止および係止解除を行うストッパ操作レバーを有する操作手段とを備え、前記ストッパの係止部と前記遊星レバーの係合部は、前記給紙ローラ軸駆動ギアと前記遊星ギアとの接続状態が維持されているときのみ係止可能になることを特徴とする。  
請求項６に記載の発明によると、給紙ローラ軸上にストッパとストッパ操作レバーを配置することで、同じ回動軌跡内でストッパ操作レバーが操作されるから、給紙ローラ軸駆動ギアと遊星ギアとの接続状態の維持またはその接続状態の維持解除を確実に行うことができる共に、ストッパとストッパ操作レバーの支持を共通な部材を利用することで、部品点数を減らして構造を簡素化し、その結果小型化が図れる。
【手続補正５】
【補正対象書類名】明細書
【補正対象項目名】００１２
【補正方法】変更
【補正の内容】
【００１２】
また、請求項６に記載の発明によると、給紙ローラが正転可能状態になっているときのみストッパの係止部が遊星レバーの係合部に係止できる。すなわち、給紙ローラ軸駆動ギアと遊星ギアとの接続状態が維持されているとき、給紙ローラの正逆転に必要な動力伝達が行われる。
【手続補正６】
【補正対象書類名】明細書
【補正対象項目名】００１３
【補正方法】変更
【補正の内容】
【００１３】
請求項７に記載の発明は、モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、前記給紙ローラ軸上に配置され、前記遊星ギアが接離される給紙ローラ軸駆動ギアと、前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、前記給紙ローラ軸上に回動可能に支持され、前記ストッパの係止部と前記遊星レバーの係合部との係止および係止解除を行うストッパ操作レバーを有する操作手段とを備え、前記遊星レバーは、前記搬送ローラ軸に回動可能に支持されされていることを特徴とする。  
請求項７に記載の発明によると、遊星レバーの支点より離れた位置でストッパを作用させているので、給紙ローラ軸駆動ギアと遊星ギアとの接続状態が確実に維持され、安定した動力伝達が可能となる。また、遊星レバーの支持を搬送ローラ軸を利用することで支持部材を減らし構成が簡素される。
【手続補正７】
【補正対象書類名】明細書
【補正対象項目名】００１４
【補正方法】変更
【補正の内容】
【００１４】
請求項８に記載の発明に係る給紙装置は、モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、前記給紙ローラ軸上に配置され、前記遊星ギアが接離される給紙ローラ軸駆動ギアと、前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、前記給紙ローラ軸上に回動可能に支持され、前記ストッパの係止部と前記遊星レバーの係合部との係止および係止解除を行うストッパ操作レバーを有する操作手段とを備え、前記操作手段は、ストッパ操作レバーに設けられたカムフォロアと、該カムフォロアが当接する環状の溝カムを有するホイールと、を備え、前記ホイールは、前記給紙ローラに共動させる部材が配置されたレリース軸上に配置され、該レリース軸の所定角度の回転により前記ストッパ操作レバーを回動させることを特徴とする。  
請求項８に記載の発明によると、給紙ローラに共動させる部材、例えば給紙従動ローラ、押圧パッド、用紙戻しレバーなどの動作制御はレリース軸の回転によって行われる。レリース軸上にホイールを配置することで、給紙ローラに共動させる部材に関連して給紙ローラへの動力伝達の制御が可能となる。このようにホイールの動力をレリース軸から得ることで、ホイールの為の独立したモータが不要となり、その分小型化かつ省エネ効果が期待できる。
【手続補正８】
【補正対象書類名】明細書
【補正対象項目名】００１５
【補正方法】変更
【補正の内容】
【００１５】
請求項９に記載の発明に係る給紙装置は、モータ駆動により正逆転し、搬送ローラが設けられた搬送ローラ軸と、該搬送ローラ軸から動力を得て正逆転し、給紙ローラが設けられた給紙ローラ軸と、を備えた給紙装置において、前記搬送ローラ軸上に配置された伝達ギア、該伝達ギアに接続された遊星ギア、前記遊星ギアが取付けられた遊星レバーを有し、前記搬送ローラ軸の正転時のみ前記給紙ローラ軸への動力伝達を行う遊星歯車機構と、前記給紙ローラ軸上に配置され、前記遊星ギアが接離される給紙ローラ軸駆動ギアと、前記給紙ローラ軸上に回動可能に支持され、自由端に係止部を有し、該係止部が前記遊星レバーの係合部に係止され、前記給紙ローラ軸駆動ギアと遊星ギアとの接続状態を維持するストッパと、前記給紙ローラ軸上に回動可能に支持され、前記ストッパの係止部と前記遊星レバーの係合部との係止および係止解除を行うストッパ操作レバーを有する操作手段とを備え、手動操作により前記ストッパの係止部と前記遊星レバーの係合部との係止を強制的に係止解除する第２の操作手段を備えていることを特徴とする。  
請求項９に記載の発明によると、保守点検等のサービスを行う際に、搬送ローラ軸と給紙ローラ軸が遊星機構によって連結されている場合は、給紙ローラ軸をフリーにして行う作業ができない。第２の操作手段を備えることで、第１の操作手段に関係なく、手動により給紙ローラ軸駆動ギアと遊星ギアとの接続状態の維持を解除することができる。すなわち、どのような状況下においても第１の操作手段か第２の操作手段のいずれかによって第２の軸をフリーにすることができるので、上記サービスがし易くなる。
【手続補正９】
【補正対象書類名】明細書
【補正対象項目名】００１６
【補正方法】変更
【補正の内容】
【００１６】
請求項１０に記載の発明に係る給紙装置は、請求項９において、第２の操作手段は、カバー部材の開動作により強制的に前記係止解除が行われることを特徴とする。請求項１０に記載の発明によると、第２の操作手段をカバー部材の開閉に連動させているので、給紙ローラを確実にフリーにすることができるから、カバー部材を開けたときに給紙ローラ軸駆動ギアと遊星ギアとの接続状態の確認が不要となり、メンテナンス作業がし易くなる。
【手続補正１０】
【補正対象書類名】明細書
【補正対象項目名】００１７
【補正方法】変更
【補正の内容】
【００１７】
請求項１１に記載の発明に係る給紙装置は、請求項９または１０において、ストッパとストッパ操作レバーとの間を連結するスプリングを設け、該スプリングの張力により互いに突き当て状態で一体化すると共に、ストッパの係止部と遊星レバーの係合部との係止状態から係止解除する方向へスプリングの張力に抗してストッパが回動可能に設けられており、第２の操作手段にはストッパを前記方向に操作するスライダが備えられていることを特徴とする。請求項１１に記載の発明によると、ストッパ操作レバーが拘束されている場合や正規位置にない場合などにおいても第２の操作手段からストッパを操作することができるので、例えばジャム紙の除去など給紙ローラと搬送ローラを切離さないとできない作業に有効である。
【手続補正１１】
【補正対象書類名】明細書
【補正対象項目名】００１８
【補正方法】変更
【補正の内容】
【００１８】
請求項１２に記載の発明に係る給紙装置は、請求項１１において、第２の操作手段がストッパの係止部と遊星レバーの係合部との係止を強制的に係止解除した後に、その解除前の状態に戻してから搬送ローラ軸を正転させた時に、遊星レバーの回動およびスプリングの張力によるストッパの回動によりストッパの係止部と遊星レバーの係合部との係止を行わせることを特徴とする。請求項１２に記載の発明によると、第２の操作手段を働かせたときには、その後の搬送ローラ軸の正転時においてストッパの係止部と遊星レバーの係合部との係止を行わせるので、続く給紙制御の為のイニシャライズが正確にできる。
【手続補正１２】
【補正対象書類名】明細書
【補正対象項目名】００１９
【補正方法】変更
【補正の内容】
【００１９】
請求項１３に記載の発明に係る記録装置は、請求項６から１２のいずれか１項の給紙装置を備えていることを特徴とする。請求項１３に記載の発明によると、小型化でき、かつ高精度の給紙性能を持った記録装置が実現できる。